(57)【要約】【課題】捨て紙を収納する収納室を備えた食品用容器であって、「内容物の取出し」および「捨て紙の取出し」のいずれに関しても、優れた操作性を有する使い易い容器を提供する。【解決手段】食品を収容する容器本体１０を覆うキャップ２０に、内容物を取り出す振出口３０と、捨て紙５０を収納する収納室２５とを設ける。振出口３０は、開閉操作用の第１摘み部３１ａを備えたヒンジ回動式の振出蓋３１によって開閉可能に覆われている。一方、収納室２５は、振出口３０に隣接し上面が開口する凹所２１を、開閉操作用の第２摘み部４１ａを備えたヒンジ回動式の開閉蓋４）によって開閉可能に覆って構成されている。第１と第２の摘み部３１ａ、４１ａは、キャップ上面において対向する側に位置されているので、各操作が簡単で、操作箇所を取り違えることも起こり難い。【選択図】図１
2010076819.tif 000002
【特許請求の範囲】
【請求項１】
食品を収容する容器本体（１０）を覆うキャップ（２０）に、内容物を取り出す振出口（３０）と、捨て紙（５０）を収納する収納室（２５）とを設けた食品用容器であって、
振出口（３０）は、開閉操作用の第１摘み部（３１ａ）を備えたヒンジ回動式の振出蓋（３１）によって開閉可能に覆われており、
収納室（２５）は、振出口（３０）に隣接し上面が開口する凹所（２１）を、開閉操作用の第２摘み部（４１ａ）を備えたヒンジ回動式の開閉蓋（４１）によって開閉可能に覆って構成されており、
上記第１摘み部（３１ａ）と第２摘み部（４１ａ）は、キャップ上面において異なる角度位置に位置していることを特徴とする、食品用容器。
【請求項２】
上記凹所（２１）はキャップの周面（２０ａ）に開口しており、当該開口を閉じる閉止壁部（４４）が開閉蓋（４１）に形成されていることを特徴とする、請求項１記載の食品用容器。
【請求項３】
上記開閉蓋（４１）の内面には、収納室（２５）に収納される捨て紙（５０）の位置を定める位置決め壁（４５）が立設されており、
収納室（２５）内で位置決めされた捨て紙（５０）の一端縁（５０ａ）に沿う位置において、開閉蓋（４１）に取出用開口（４８）が形成されていることを特徴とする、請求項１記載の食品用容器。
【請求項４】
上記取出用開口（４８）は、捨て紙（５０）の上記一端縁（５０ａ）から遠ざかる方向に膨出するように湾曲して、指を挿入する空間を確保する第１湾曲縁（４８ａ）と、当該第１湾曲縁から反対側へ膨出するように湾曲して、取り出される捨て紙の変形を許容する第２湾曲縁（４８ｂ）とを含むことを特徴とする、請求項３記載の食品用容器。
【請求項５】
上記開閉蓋（４１）の天面は、第１湾曲縁（４８ａ）の近傍位置（４９）において、位置決め壁（４８）に連なる傾斜面を有することを特徴とする、請求項４記載の食品用容器。
【発明の詳細な説明】
【技術分野】
【０００１】
本発明は、捨て紙を収納する収納室を備えた食品用容器に関する。
【背景技術】
【０００２】
近年、粒状のガムを多数収容して販売される粒ガム容器が多く提案されている。これらの粒ガム容器において、個々の粒ガムは、未包装のまま収容されているので、噛んだ後のガムを包んで捨てるための「捨て紙」が当該容器内に入れられている。
【０００３】
容器内において、捨て紙が粒ガムと同じ部屋に収容されていると、捨て紙が粒ガムと直接接触する（あるいは、捨て紙を取り出す指が粒ガムと直接接触する）ことから、衛生上好ましくない。
また、容器内に指を突っ込んで捨て紙を取り出すのは面倒であるといった問題もある。
【０００４】
以上の問題を解決するため、特許文献１に開示された食品用容器においては、捨て紙の収納室を容器のキャップに設けている。
特許文献１の容器では、キャップを開けると、容器の上部開口全体がフルに露出する構成であり、そのキャップの上面に捨て紙用の収納室が形成されている。キャップを開けるためのタブと、収納室を開けるためのタブとは別個に設けられているが、両者が近接して配置されているため、取り違えて操作することが生じうる。
また、キャップを開けると容器の上部開口全体がフルに露出するので、開口の際に勢い余って内容物が一気に飛び出することがある。さらには、１粒または少量の粒ガムを取り出したいときでも、注意して操作しないと、必要以上の粒ガムがこぼれ出ることもある。
以上のように、色々な意味において、操作性が十分とは言えない。
【０００５】
【特許文献１】特開２００５−３０６４５２号
【発明の開示】
【発明が解決しようとする課題】
【０００６】
上記従来の事情に鑑み、本発明の目的は、捨て紙を収納する収納室を備えた食品用容器であって、「内容物の取出し」および「捨て紙の取出し」のいずれに関しても、優れた操作性を有する使い易い容器を提供することである。
【課題を解決するための手段】
【０００７】
本発明は、上記課題を有効に解決するために創案されたもので、次の特徴を備える食品用容器を提供する。
本発明の食品用容器は、「食品を収容する容器本体を覆うキャップ」に、「内容物を取り出す振出口」と「捨て紙を収納する収納室」とを設けて構成される。
振出口は、開閉操作用の第１摘み部を備えたヒンジ回動式の振出蓋によって開閉可能に覆われている。一方、収納室は、振出口に隣接し上面が開口する凹所を、開閉操作用の第２摘み部を備えたヒンジ回動式の開閉蓋によって開閉可能に覆って構成されている。
上記第１摘み部と第２摘み部は、キャップ上面において異なる角度位置に位置する。
【０００８】
容器に収容される食品は、例えば、「粒ガム」や「チョコ」である。「粒ガム」における「捨て紙」とは、噛み終わった後のガムを包んで捨てるための紙片であり、「チョコ」における「捨て紙」とは、汚れた手を拭いて捨てる紙片である。
ただし、何らかの目的をもって付属する「捨て紙」であれば、これらに限定されるものではない。
【発明の効果】
【０００９】
上記構成を備えた本発明の食品用容器においては、「内容物の振出口を開く際に指で操作する第１摘み部」と「捨て紙の収納室を開く際に指で操作する第２摘み部」とがキャップ上面において異なる角度位置に位置している。
すなわち、「内容物を振り出す」および「捨て紙を取り出す」という２つの動作に対して、これらの動作時に指先がアクセスすべき構造部をキャップ上の異なる角度位置に配置している。
このため、各操作が簡単となり、また操作箇所を取り違えることも起こり難い。
【００１０】
また、キャップ上において、「捨て紙の収納室」を構成した残りの領域を利用して振出口を形成するので、振出口の開口面積は適度に制限される（すなわち、特許文献１の容器のような容器全体に渡るフル開口ではない）。したがって、振出蓋を回動して振出口を露出させた際に、勢い余って内容物が一気に飛び出ることはないし、振出口の開口面積が適正であるため、１粒または少量の粒ガムを取り出すのにも都合がよい。
【発明を実施するための最良の形態】
【００１１】
本発明の実施形態を添付の図面を参照して以下に詳細に説明する。図１（ａ）は、本発明の第１実施形態に係る食品用容器を示す斜視図である。図１（ｂ）は、この容器を閉じた状態を上方から見た平面図である。
この食品用容器は、粒状ガムを収容する略円筒状の容器本体１０の上部に、キャップ２０を備えて構成される。このキャップ２０には、内容物（粒状ガム）を振り出すための振出口３０と、噛み終わったガムを包む捨て紙５０を収納する収納室２５とを備える。
【００１２】
≪内容物の振出口３０≫
振出口３０は、数個の粒ガムを振り出すのに好都合なサイズとされており、ヒンジ回動式の振出蓋３１で開閉可能に閉じられる。振出蓋３１は、第１摘み部３１ａを有しており、消費者は、この摘み部３１ａを指で押し上げて、振出蓋３１を上方へ回動させ、露出した振出口３０から適当数の粒ガムを振り出すことができる。
振出蓋３１を下方へ押し戻すと、一般に知られた弾性係合を利用したスナップフィット構造（図示せず）により、パチンという音とともに振出蓋３１を閉止することができる。
なお、図示の例では、食品用容器は、ピルファー機構を備えている。すなわち、ピルファータブ１１を摘んで周回除去することで、キャップ２０の全体を容器本体１０から取り外して開口させることも可能である。したがって、振出口３０を省略してもよい。
【００１３】
≪捨て紙の収納室２５≫
捨て紙５０を収納する収納室２５は、キャップ２０に形成した凹所２１を、開閉蓋４１で覆って構成されている。開閉蓋４１も、振出蓋３１と同様にヒンジ回動式で、開閉操作用の第２摘み部４１ａを備えている。
消費者は、この摘み部４１ａを指で押し上げて、開閉蓋４１を上方へ回動させ、内部の捨て紙５０を取り出すことができる。開閉蓋４１を下方へ押し戻すと、一般に知られた弾性係合を利用したスナップフィット構造（図示せず）により、パチンという音とともに開閉蓋４１を閉止することができる。
図示の例では、凹所２１は、上方から見た場合に略矩形で、３方が壁面で囲まれているが、前方部分はキャップ２０の周面２０ａに開口している。この開口を閉じる閉止壁部４４が開閉蓋４１に形成されている。このような構成により、捨て紙５０の取り出しが容易になる。
【００１４】
≪対向位置によるメリット≫
図示の例においては、キャップ２０に対して、「振出口３０」と「捨て紙の収納室２５」の両方が設けられていて、図１（ｂ）の平面図によく示されるように、「振出口３０を開く際に指で操作する第１摘み部３１ａ」と「収納室２５開く際に指で操作する第２摘み部４１ａ」とがキャップ上面において対向する側に位置している。
つまり、「内容物を振り出す」および「捨て紙を取り出す」という２つの動作に対して、これらの動作時に指先がアクセスすべき構造部をキャップ２０上の対向する位置に配置しているので、操作が簡単となり、かつ操作箇所を取り違えることも起こりにくい。
【００１５】
また、キャップ２０を上方から見た場合において（図１ｂ）、「内容物の振出口３０」と「捨て紙５０の収納室２５」とを区画を分けて配置している（容器の高さ方向において両者がオーバーラップしていない）。このため、キャップ２０の面積の略半分を収納室２５が占め、残った領域に振出口３０を形成することとなる。
つまり、振出口３０は、特許文献１（特開２００５−３０６４５２号）の場合のように容器全体に渡ってフル開口するのではなく、適度に制限されたものとなる。したがって、振出蓋を回動して振出口を露出させた際に、勢い余って内容物が一気に飛び出ることはないし、振出口の開口面積が適正であるため、１粒または少量の粒ガムを取り出すのにも都合がよい。
【００１６】
以上のメリットを達成するためには、「第１摘み部３１ａ」と「第２摘み部４１ａ」とがキャップ上面において対向する側に位置していることが最も好ましいと考えられるが、対向位置でなくとも、少なくとも両者が異なる角度位置にあれば、同様のメリットを得ることができる。
なお、「異なる角度位置にある」とは、キャップ２０を上方から見た場合において（図１ｂ）、「第１摘み部３１ａ」と「第２摘み部４１ａ」がオーバーラップしていないことを意味する。
すなわち、図１（ｂ）において、「第１摘み部３１ａ」をキャップ２０の円周方向に沿って、図示の位置よりも上下いずれかにズラした位置に配置することができ、「第２摘み部４１ａ」についても、同様に位置をズラすことが可能である。
【００１７】
≪第２実施形態≫
図２（ａ）は、第２実施形態に係る食品用容器の斜視図を示し、図２（ｂ）は、閉じた状態の平面図を示している。第２実施形態は、第１実施形態に対して、「開閉蓋４１に捨て紙５０の取出用開口４８を設けている点」および「開閉蓋４１の内面に位置決め壁４５を設けている点」で異なる。
以下には、第１実施形態と異なる点について説明する。
【００１８】
≪位置決め壁４５≫
開閉蓋４１の内面には、位置決め壁４５が立設されている。図２（ｂ）に示すように、位置決め壁４５は、開閉蓋４１を閉じたときに、捨て紙５０を凹所２１内の奥部に位置決めする。その結果、捨て紙５０の一端縁５０ａは、下に説明する取出用開口４８に対して位置合わせされる。
【００１９】
≪捨て紙を取り出す取出用開口４８≫
図２（ｂ）に示したように、収納室２５から捨て紙５０を取り出すための取出用開口４８は、摘み部４１ａの方に向かって（すなわち、捨て紙の一端縁５０ａから遠ざかる方向に向かって）膨出するように湾曲する第１湾曲縁４８ａと、これとは反対側へと膨出するように湾曲する第２湾曲縁４８ｂとを含んでいる。
第１湾曲縁４８ａは、捨て紙５０を取り出す際に指を挿入する空間を確保している。一方、第２湾曲縁４８ｂは、取り出される捨て紙５０の上方への変形（湾曲）を許容し、取出動作をスムーズにする効果がある。
ただし、取出用開口４８の具体的な形状は、図示したものに限られず、取出し易さを考慮して、適宜定めることができる。
【００２０】
第２実施形態の食品用容器は、開閉蓋４１に形成した取出用開口４８から捨て紙５０を取り出すことができるので、消費者にとっては、第２摘み部４１ａは必ずしも必要な構成要素ではない。
しかし、第２摘み部４１ａを設けておくことで、第２摘み部４１ａを操作して開閉蓋４１を開けて捨て紙５０を取り出すことも、開閉蓋４１に形成した取出用開口４８から捨て紙５０を取り出すことも、両方可能となる。現実的には、最初は、取出用開口４８から捨て紙５０を取り出していき、捨て紙５０の残量が少なくなってきたときに、第２摘み部４１ａを操作して開閉蓋４１を開けて、捨て紙５０を取り出すことが考えられる。
【００２１】
≪変形例≫
本発明においては、例えば、開閉蓋４１の天面を、取出用開口４８の第１湾曲縁４８ａの近傍位置（図２ｂ中に４９で示した領域）において、下方に存在する位置決め壁４５へと連続的に連なるような傾斜面を設けてもよい。つまり、当該領域４９から凹所２１内へと、滑り落ちるような滑らかな傾斜面を、位置決め壁４５に一体化するように連続的に形成する。これにより、取出し動作がよりスムーズなものとなる。
【００２２】
≪その他≫
本発明において、食品用容器に収容される食品は「粒ガム」には限定されず、例えば「チョコ」その他の食品であってもよい。各場合において、「捨て紙」とは、「粒ガム」にあっては、噛み終わった後のガムを包んで捨てるための紙片であり、「チョコ」その他の食品にあっては、汚れた手を拭いて捨てる紙片である。
ただし、何らかの目的をもって付属する「捨て紙」であれば、他の用途に使用するものであってもよい。
【図面の簡単な説明】
【００２３】
【図１】本発明の第１実施形態に係る食品用容器を示す図。
【図２】本発明の第２実施形態に係る食品用容器を示す図。
【符号の説明】
【００２４】
１０  容器本体
１１  ピルファータブ
２０  キャップ
２０ａ  キャップ周面
２１  凹所
２５  収納室
３０  振出口
３１  振出蓋
３１ａ  第１摘み部
４１  開閉蓋
４１ａ  第２摘み部
４４  閉止壁部
４５  位置決め壁
４８  取出用開口
４８ａ  第１湾曲縁
４８ｂ  第２湾曲縁
４９  第１湾曲縁の近傍領域
５０  捨て紙
５０ａ  捨て紙の一端縁
【図１】
2010076819.tif 000003
【図２】
2010076819.tif 000004